(57)【要約】　　　（修正有）【課題】パーソナルコンピュータ（ＰＣ）の本体に設けられた外部器機端子（ＵＳＢ）を電源として、パーソナルコンピュータ（ＰＣ）操作中に必要とする周辺グッズ、例えば飲食物の保温、保冷グッズ、クッショングッズ、スリッパ、ひざ掛け、エアークリーナー、光り物グッズ、アクショングッズ、香り物グッズ等の簡易なグッズを提供する。【解決手段】パーソナルコンピュータ（ＰＣ）本体１に設けられた外部器機端子（ＵＳＢ）２を電源とし、これにパーソナルコンピュータ（ＰＣ）の操作中に必要とする周辺グッズを簡単に接続できる構成とした。【選択図】　　図１
0003097494.tif 000002
【実用新案登録請求の範囲】
【請求項１】
パーソナルコンピュータ（ＰＣ）の本体に設けられた外部器機端子（ＵＳＢ）を電源として、パーソナルコンピュータ（ＰＣ）操作中に必要とする周辺グッズを構成することを特徴とする
【考案の詳細な説明】
【０００１】
【考案の属する技術分野】
本考案は、パーソナルコンピュータ（ＰＣ）の本体に設けられた外部器機端子（ＵＳＢ）を電源として利用することにより、他の電源を使用することなく、パーソナルコンピュータ操作中において必要とする、例えば飲食物の保温、保冷グッツ、クッショングッズ、スリッパ、ひざ掛け、エアークリーナー、光り物グッズ、アクショングッズ、香り物グッズ等を提供する
ことに関する。
【０００２】
【考案が解決しようとする課題】
一般に、パーソナルコンピュータ（ＰＣ）の本体には、例えば５Ｖ程度の電源を供給することの可能な外部器機端子（ＵＳＢ）が設けられているが、従来においては、かかる端子の利用はほとんどなされていないのが実情である。
すなわち、前述したパーソナルコンピュータ操作中において必要とする、例えば飲食物の保温、保冷グッズ、クッショングッズ、スリッパ、ひざ掛け、エアークリーナー等を利用する場合は、個々のグッズに独立して設けられた（備付け）られている電源を利用して作動させているのが実情である。
しかるに、現在のところパーソナルコンピュータ（ＰＣ）の本体に設けられた外部器機端子（ＵＳＢ）は、ほとんど使用されることなく、いわゆる無用の長物的存在である。
【０００３】
本考案は、上記の問題点にかんがみてなされたもので、パーソナルコンピュータ（ＰＣ）の本体に設けられた外部器機端子（ＵＳＢ）を電源として、パーソナルコンピュータ（ＰＣ）操作中に必要とする周辺グッズ、例えば飲食物の保温、保冷グッズ、クッショングッズ、スリッパ、ひざ掛け、エアークリーナー、光り物グッズ、アクショングッズ、香り物等の簡易なグッズを提供することにある。
【０００４】
【課題を解決するための手段】
本考案は、上記の目的を達成するために、以下の構成を採用する。
第一に、パーソナルコンピュータ（ＰＣ）の本体に設けられた外部器機端子（ＵＳＢ）を電源として、パーソナルコンピュータ（ＰＣ）操作中に必要とする周辺グッズを製作する。
【０００５】
【考案の実施の形態】
図は、本考案に係るパーソナルコンピュータの外部器機端子を電源とするグッツの一実施例を説明するための図である。
図中１は、パーソナルコンピュータ（ＰＣ）本体であり、２はこの本体１に設けられた外部器機端子（ＵＳＢ）である。
ところで、前記本体１に設けられた外部器機端子（ＵＳＢ）は、一般にはパーソナルコンピュータ（ＰＣ）操作中に必要とする周辺グッズを利用するために設けられた電源（通常５Ｖ程度の電圧仕様）であり、本考案では、この外部器機端子２を電源として利用する。
図中３は、外部器機端子（ＵＳＢ）接続ようのプラグであり、このプラグ３の負荷側には、例えばホットコーヒーなどの温かな飲物を十分に保温できるヒーター内蔵のコースター４が接続される。
図中５は、プラグ３の負荷側には、例えば封入したエアー等を一定の温度に保温できるヒーター内蔵のホットカイロである。
【０００６】
上記の実施例に基づいて本考案に係るパーソナルコンピュータの外部器機端子を電源とするグッズの使用要領を説明する。
先ず、第一の例では、パーソナルコンピュータ（ＰＣ）本体１に設けられた外部器機端子（ＵＳＢ）２に、プラグ３に接続したホットコーヒーなどの温かな飲物を十分に保温できるヒーター内蔵のコースター４を接続して使用することができるので、パーソナルコンピュータ（ＰＣ）を長時間にわたって操作しなければならない場合であって、席を離れることが出来ない場合等において、操作しつつ一定温度を保持しているコーヒー等を冷めた状態で飲食することも無くなり非常に便利であり、かつこうしたグッズにより従来の個別電源を持つグッズと異なり周辺が非常に簡素化でき作業環境等の美化に繋がり、非常に効果的である。
次の、例えば封入したエアー等を一定の温度に保温できるヒーター内蔵のホットカイロ５に関しては、エアコンの効いている室内あるいは真冬等の手足がかじかむ状態でパーソナルコンピュータ（ＰＣ）を操作しなければならない等において、パーソナルコンピュータ（ＰＣ）本体１に設けられた外部器機端子（ＵＳＢ）２に、プラグ３に接続したホットカイロ５を接続しておくことで、かじかんだ手足をホットカイロ５に接触させ、また手足を挿入可能に加工しておくことで、手足をホットカイロ５内部に挿入して温めることが可能であるから、上記の状況下であってもパーソナルコンピュータ（ＰＣ）を快適に操作、かつ長時間に渡って操作することができる。
【０００７】
上記の実施例では、グッズの一例として、ヒーター内蔵のコースター４、ヒーター内蔵のホットカイロ５を掲げて説明したが、その他パーソナルコンピュータ（ＰＣ）本体１に設けられた外部器機端子（ＵＳＢ）２を電源として利用することにより、パーソナルコンピュータ（ＰＣ）操作中に必要とする周辺グッズが種々考案することが可能であり、特に上記の実施例にのみ限定するものではなく、要するにパーソナルコンピュータ（ＰＣ）本体１に設けられた外部器機端子（ＵＳＢ）２を電源とする周辺グッズであるならば、本考案の意図するところであり、目的を同一にするものは全て含むものとする。
【０００８】
【考案の効果】
本考案は、以上詳細に説明した如く、パーソナルコンピュータ（ＰＣ）の本体に設けられた外部器機端子（ＵＳＢ）を電源として、パーソナルコンピュータ（ＰＣ）操作中に必要とする周辺あらゆるグッズを簡単に構成、かつ提供することが可能であるから、パーソナルコンピュータ（ＰＣ）操作が快適になり、しかも他電源を必要とすることもないので、器機周辺の整理整頓が容易であり、従来のグッズのように他電源ロードが邪魔になることも無く、使い勝手がよく、コスト的にも非常に安価に、周辺グッズを沢山提供することができる等種々のメリットがあるものである。
【図面の簡単な説明】
【図１】図１は、本考案に係るパーソナルコンピュータの外部器機端子を電源とするグッツの複数の例を開示した説明図である。
【符号の説明】
１　　　　　　　　　　　パーソナルコンピュータ（ＰＣ）本体
２　　　　　　　　　　　外部器機端子（ＵＳＢ）
３　　　　　　　　　　　プラグ
４　　　　　　　　　　　ヒーター内蔵のコースター
５　　　　　　　　　　　ヒーター内蔵のホットカイロ
【図１】
0003097494.tif 000003
【手続補正書】
【提出日】平成14年12月26日(2002.12.26)
【手続補正１】
【補正対象書類名】明細書
【補正対象項目名】実用新案登録請求の範囲
【補正方法】変更
【補正の内容】
【実用新案登録請求の範囲】
【請求項１】
パーソナルコンピュータ（ＰＣ）の本体に設けられた外部器機端子（ＵＳＢ）を電源として、パーソナルコンピュータ（ＰＣ）操作中に必要とする周辺グッツを構成することを特徴とするパーソナルコンピュータの外部器機端子を電源とするグッツ。
【手続補正書】
【提出日】平成15年5月21日(2003.5.21)
【手続補正１】
【補正対象書類名】明細書
【補正対象項目名】実用新案登録請求の範囲
【補正方法】変更
【補正の内容】
【実用新案登録請求の範囲】
【請求項１】
パーソナルコンピュータ（ＰＣ）の本体に設けられた外部器機端子（ＵＳＢ）を電源として、飲物等を十分に保温できるヒーター内蔵のコースターを接続したことを特徴とするパーソナルコンピュータの外部器機端子を電源とするグッツ。